(57)【要約】【構成】携帯電話１２でメール作成中に、所望の文字列をカーソルキー３０ａにより選択して辞書サーバ接続キー３０ｄを押すと、携帯電話１２はＲＯＭ２４から辞書サーバのＵＲＬが呼び出され、辞書サーバに接続される。また、セットキー３０ｂを押すと、ＲＡＭ２２からサーバのウェブサイトのＵＲＬが呼び出され、携帯電話１２は辞書サーバを介してサーバに接続される。そして、辞書サーバまたはサーバから必要なコンテンツ情報を取得して、作成中の文書に直接付加する。【効果】インターネットから必要な情報を取得して文書を作成する手間を省くことができる。【選択図】  図２
2004272520.tif 000002
【特許請求の範囲】
【請求項１】
文書作成画面上で文書を作成する文書作成装置において、
前記文書作成画面に表示される所望の文字列に向けられた所定操作に応答して前記所望の文字列に関連するウェブサイトにアクセスするアクセス手段、
前記ウェブサイトから前記所望の文字列に関連するコンテンツ情報を取得する取得手段、および
前記取得手段によって取得されたコンテンツ情報を前記文書に付加する付加手段を備えることを特徴とする、文書作成装置。
【請求項２】
前記所望の文字列に関連する第１情報を格納する第１サーバのウェブサイトにアクセスするための第１アクセス情報を保存する第１メモリをさらに備え、
前記所定操作は前記第１アクセス情報に基づいて前記第１サーバのウェブサイトにアクセスする操作を含む、請求項１記載の文書作成装置。
【請求項３】
前記所望の文字列に関連する第２情報を提供する第２サーバのウェブサイトにアクセスするための第２アクセス情報を保存する第２メモリをさらに備え、
前記所定操作は前記第２アクセス情報に基づいて前記第２サーバのウェブサイトにアクセスする操作を含む、請求項１または２記載の文書作成装置。
【請求項４】
前記文書作成画面に表示すべき文字列が確定したとき前記コンテンツ情報を取得するか否かを問い合わせるメッセージを発生する発生手段をさらに備え、
前記所定操作は前記メッセージに対する肯定的な回答を入力する操作を含む、請求項１ないし３のいずれかに記載の文書作成装置。
【請求項５】
前記ウェブサイトは複写を許可する第１コンテンツを管理し、
前記取得手段は前記第１コンテンツを前記コンテンツ情報として取得する第１取得手段を含む、請求項１ないし４のいずれかに記載の文書作成装置。
【請求項６】
前記ウェブサイトは複写を禁止する第２コンテンツを管理し、
前記取得手段は前記第２コンテンツの取得先アドレスを前記コンテンツ情報として取得する第２取得手段を含む、請求項１ないし５のいずれかに記載の文書作成装置。
【請求項７】
前記文書を任意の宛先に送信する送信手段をさらに備える、請求項１ないし６のいずれかに記載の文書作成装置。
【請求項８】
請求項１ないし７のいずれかに記載の文書作成装置を備える、携帯電話機。
【発明の詳細な説明】
【０００１】
【発明の属する技術分野】
この発明は、文書作成装置に関し、特に例えば、文書作成画面上で文書を作成する、文書作成装置に関する。
【０００２】
【従来技術】
従来の携帯電話では、日本語変換辞書を格納するメモリの容量が十分に確保されていなかったので、日本語変換辞書に変換候補の意味、関連する情報などまで記憶させておくことはできなかった。このため、日本語変換辞書には必要最小限の内容のみを記憶させておき、変換候補の意味、変換候補に関連する動画、静止画、音声などの情報については、携帯電話をインターネットに接続して必要な情報を検索し、検索した情報をメールに挿入または添付していた。
【０００３】
【発明が解決しようとする課題】
しかし、携帯電話でメールを作成しているときに、インターネットから情報を取得してメールに挿入または添付しようとする場合、次の手順によらなければならない。すなわち、一旦メール作成画面を閉じた後、携帯電話をインターネットに接続して必要な情報を検索する。そして、検索した情報をメモリに一時記憶させた後、再びメール作成画面を表示させて、メモリに記憶させた情報を作成中のメールに挿入または添付しなければならない。このため、従来技術ではメール作成の手間がかかるという問題があった。
【０００４】
それゆえに、この発明の主たる目的は、文書作成の手間を省くことができる、文書作成装置を提供することである。
【０００５】
【課題を解決するための手段】
この発明は、文書作成画面上で文書を作成する文書作成装置において、文書作成画面に表示される所望の文字列に向けられた所定操作に応答して所望の文字列に関連するウェブサイトにアクセスするアクセス手段、ウェブサイトから所望の文字列に関連するコンテンツ情報を取得する取得手段、および取得手段によって取得されたコンテンツ情報を文書に付加する付加手段を備えることを特徴とする文書作成装置である。
【０００６】
【作用】
文書作成画面に表示される所望の文字列に対して所定操作を行うと、文書作成装置はその操作に応答して、その文字列に関連する情報を管理するウェブサイトにアクセスする。そして、このウェブサイトから文字列に関連するコンテンツ情報を取得し、取得したコンテンツ情報を文書に付加する。
【０００７】
第１サーバのウェブサイトは、所望の文字列に関連する第１情報を提供している。また、文書作成装置は第１情報を取得するために、このウェブサイトにアクセスするための第１アクセス情報を第１メモリに保存している。そして、文書作成装置は所定操作によって、第１アクセス情報を第１メモリから呼び出して、第１サーバのウェブサイトに接続して第１情報を取得する。
【０００８】
第２サーバのウェブサイトは、所望の文字列に関連する第２情報を提供している。また、文書作成装置は第２情報を取得するために、このウェブサイトにアクセスするための第２アクセス情報を第１メモリに保存している。そして、文書作成装置は所定操作によって、第２アクセス情報を第２メモリから呼び出して、第２サーバのウェブサイトに接続して第１情報を取得する。
【０００９】
この文書作成装置は、さらに文書作成画面に表示すべき文字列が確定したとき、ウェブサイトからその文字列に関連するコンテンツ情報を取得するか否かを問い合わせるメッセージを画面に表示する。この問合せに対して、肯定的な回答を入力すると、コンテンツ情報を管理するウェブサイトにアクセスする。この場合、ウェブサイトへのアクセスの必要性を確認することができる。
【００１０】
この文書作成装置は、ウェブサイトが管理するコンテンツ情報のうち、複写が許可された第１コンテンツを取得する。
【００１１】
この文書作成装置は、ウェブサイトが管理するコンテンツ情報のうち、複写が禁止された第２コンテンツを取得する。
【００１２】
この文書作成装置は、作成した文書を任意の宛先に送信する。
【００１３】
携帯電話機はこの文書作成装置を備えている。
【００１４】
【発明の効果】
この発明によれば、文書作成者は文書作成画面を閉じることなく、インターネットから必要な情報を取得して作成中の文書に挿入または添付することができるので、文書作成の手間を省くことができる。
【００１５】
この発明の上述の目的，その他の目的，特徴および利点は、図面を参照して行う以下の実施例の詳細な説明から一層明らかとなろう。
【００１６】
【実施例】
図１を参照して、この実施例のメール作成システム１０は、携帯電話１２と、辞書サーバ１４と、複数のサーバ１６とを含み、これらはインターネットを介して互いに接続されている。
【００１７】
携帯電話１２でメールを作成する場合、携帯電話１２のメモリに格納されている日本語変換辞書だけでは情報が不足する場合がある。この場合、携帯電話１２をインターネットを介してあらかじめ指定された辞書サーバ１４に接続する。
【００１８】
この辞書サーバ１４には、携帯電話１２の日本語変換辞書の変換候補に対応させて、日本語変換辞書に入りきらない情報をあらかじめ入力しておく。辞書サーバ１４は、携帯電話１２から情報の送信要求があったときには、検索した情報に特定タグを付して携帯電話１２に送信する。後で詳細に説明するが、この特定タグが付された情報は、携帯電話１２で作成中のメールに直接挿入または添付される。
【００１９】
メール作成者は、辞書サーバ１４から受信した情報だけでは情報が不足していると考える場合には、その情報に関連付けされているサーバ１６のウェブサイトに、辞書サーバ１４を介してアクセスする。その結果、携帯電話１２は、そのサーバ１６のウェブサイトが提供する情報を、辞書サーバ１４を介して受信する。
【００２０】
このとき、辞書サーバ１４は、サーバ１６のウェブサイトからの情報に対しても、前述のタグを付して携帯電話１２に送信する。このため、サーバ１６のウェブサイトからの情報も、作成中のメールに直接挿入または添付することができる。
【００２１】
メール作成者は、文章を入力したり、受信した情報をメールに挿入または添付してメールを完成させた後、送信する。受信者はメールを読みながら、必要に応じてその情報に関連付けられている辞書サーバ１４またはサーバ１６のウェブサイトにアクセスする。このようにして、受信者は必要な情報を取得することができる。
【００２２】
次に、図２を参照して、携帯電話１２はバス３８を含み、このバス３８には、ＣＰＵ１８、操作パネル３０、ディスプレイ２０、ＲＡＭ２２、ＲＯＭ２４、低周波回路２６などが接続されている。ＣＰＵ１８は、操作パネル３０、ディスプレイ２０、ＲＡＭ２２、ＲＯＭ２４および低周波回路２６を制御する。また、ＲＯＭ２４は、メール作成ソフト、辞書サーバ１４にアクセスするためのＵＲＬなどの情報を格納している。
【００２３】
メール作成者は、ＲＯＭ２４に格納されているメール作成ソフトを起動して、ディスプレイ２０にメール作成画面を表示させる。そして、操作パネル３０の文字入力キー（図示しない）を操作してひらがなで文章を入力しながら、ＲＯＭ２４に格納されている予測機能付日本語変換辞書によって、入力したひらがなを随時漢字に変換する。
【００２４】
この操作パネル３０には、文字入力キー以外にも、カーソルを移動させるカーソルキー３０ａ、ＲＡＭ２２に保存されたＵＲＬに対応するサーバ１６のウェブサイトにアクセスするセットキー３０ｂ、メール作成画面を表示するモードキー３０ｃ、辞書サーバ１４にアクセスする辞書サーバ接続キー３０ｄ、入力されたひらがなを漢字に変換する日本語変換キー３０ｅなどのキーが設けられている。
【００２５】
メール作成中に、日本語変換辞書に収納されていない情報が必要になった場合、ＣＰＵ１８は辞書サーバ１４に必要な情報を検索させるための情報検索要求信号を作成して低周波回路２６に与える。低周波回路２６は、この情報検索要求信号を低周波信号に周波数変換して、無線回路２８に与える。無線回路２８は、この低周波信号を所定の周波数の搬送波で変調した電波に変換して、アンテナ３２から送信する。
【００２６】
一方、辞書サーバ１４から送信された検索情報は、アンテナ３２で受信され、無線回路２８に与えられる。無線回路２８はこの電波を復調して低周波信号を取り出して、低周波回路２６に与える。この低周波信号は、低周波回路２６によってＣＰＵ１８が処理可能な情報信号に変換された後、メールに直接挿入または添付される。または、ＲＡＭ２２に一時記憶させておき、必要なときにＲＡＭ２２から呼び出して、メールに挿入または添付してもよい。
【００２７】
低周波回路２６に接続されているマイク３４とスピーカ３６は、それぞれ携帯電話１２のスピーカ、マイクとして機能する。
【００２８】
次に、図３を参照して、辞書サーバ１４は、送受信回路４０、情報処理回路４２、ハードディスク４４およびＣＰＵ４６を含み、ＣＰＵ４６は送受信回路４０と情報処理回路４２を制御する。
【００２９】
送受信回路４０は、携帯電話１２から送信されてきた情報検索要求信号を受信して、情報処理回路４２に与える。情報処理回路４２は、この情報検索要求信号に基づいて、ハードディスク４４に格納されている辞書データの中から、目的とする情報を検索する。この辞書データは、日本語変換辞書の変換候補に対応したもので、変換候補の意味、変換候補に関連する動画、静止画、音声情報などの情報を管理するサーバ１６のウェブサイトのＵＲＬなどを格納したものである。情報処理回路４２は、検索した情報に特定タグを付した後、送受信回路４０を介して携帯電話１２に送信する。
【００３０】
また、辞書データに格納されている情報に基づいて、さらに詳細な情報の検索要求信号が携帯電話１２から送信されてきたときも、送受信回路４０を介して情報処理回路４２に与えられる。ＣＰＵ４６は、この検索要求信号に含まれるＵＲＬに基づいて、必要な情報を提供するサーバ１６のウェブサイトにアクセスする。その結果、サーバ１６のウェブサイトが提供する情報は、辞書サーバ１４の送受信回路４０を介して情報処理回路４２に与えられる。情報処理回路４２は、この情報に特定タグを付した後、送受信回路４０を介して携帯電話１２に送信する。
【００３１】
携帯電話１２は、この情報を受信して、作成中のメールに直接挿入または添付する。あるいは、ＲＡＭ２２に一時記憶させた後、必要に応じてＲＡＭ２２から呼び出して、メールに挿入または添付する。
【００３２】
図４を参照して、メールに挿入または添付できる３種類のデータについて説明する。各データは、いずれも動画、静止画、音声などからなるファイル実態である点では共通する。図４に示すデータ（１−１）は、メールに添付することが可能なデータであり、ファイル実態をメールに添付することができる。
【００３３】
図４に示すデータ（１−２）は、データ（１−１）と同じであるが、そのデータ作成者が著作権を有するデータである。この場合、データ作成者に無断でメールに添付すると作成者の著作権を侵害するおそれがある。このため、データをメールに添付するのではなく、そのデータが提供されているＵＲＬをメール中の特定の文字列と関連付けして、その特定の文字列をメールに挿入する。
【００３４】
図４に示すデータ（２−１）は、ストリーミングデータであるため携帯電話１２に保存できないデータである。この場合も、データ（１−２）と同様にメールに添付できないので、そのデータが提供されているＵＲＬをメール中の特定の文字列と関連付けして、その特定の文字列をメールに挿入する。
【００３５】
図５ないし図１０を参照して、友人に映画“ハリーポット”を見に行こうと誘うメールを作成して送信し、友人が受信したメールの内容を確認する手順について説明する。
【００３６】
まず、図５（Ａ）に示すように、ディスプレイ２０にメール表示画面を表示させ、操作パネル３０の文字入力キーを操作して“映画に行こう”と入力する。次に、ハリーポットと入力するために、“はり”と入力した後、日本語変換キー３０ｅを押す。その結果、“貼り”から“針穴写真機”まで５個の文字列がディスプレイ２０に表示される。表示された文字列の中に、目的とする“ハリーポット”が含まれているので、カーソルキー３０ａを操作して“ハリーポット”を選択する。
【００３７】
図５（Ｂ）に示すように、“ハリーポット”について“問い合わせますか？”と表示されるので、メール作成者は辞書サーバ接続キー３０ｄを押す。ＣＰＵ１８は、辞書サーバ接続キー３０ｄが押されると、あらかじめＲＯＭ２４に保存されている辞書サーバ１４のＵＲＬを呼び出す。次に、このＵＲＬを用いて携帯電話１２を辞書サーバ１４に接続し、“ハリーポット”の情報検索要求信号を辞書サーバ１４に送信する。この情報検索要求信号を受信した辞書サーバ１４は、ハードディスク４４に格納された辞書データから“ハリーポット”に関連する情報として“案内ハリーポット”の情報を検索して、そのＵＲＬとともに携帯電話１２に送信する。
【００３８】
図６に示すように、携帯電話１２は、辞書サーバ１４からＨＴＭＬで記述される“案内ハリーポット”の情報を受信して、ディスプレイ２０に表示する。この受信情報に基づいて、ディスプレイ２０には、映画“ハリーポット”に関する“上映劇場”、“ストーリー”、“ポスター”、“予告編”の各文字列が表示される。また、これらの文字列に関連する詳細な情報を提供するサーバ１６のウェブサイトのＵＲＬが、それぞれ文字列と関連付けられてＲＡＭ２２に保存される。
【００３９】
ここで、受信情報の欄に記載されているＤＩＣタグが上述の特定タグである。ＤＩＣタグが付された情報が携帯電話１２に与えられると、携帯電話１２はその情報を作成中のメールに直接挿入したり、添付したりする。
【００４０】
例えば、ＤＩＣタグの使用例として、受信情報の欄に記載されている＜ＤＩＣ  ｈｔｍｌ＝”＜Ａ  ＨＲＥＦ＝  ＨＹＰＥＲＬＩＮＫ  ”ｈｔｔｐ：／／ｄｄｄ”  ｈｔｔｐ：／／ｄｄｄ＞ポスター＜／Ａ＞”＞について説明する。”＜Ａ  ＨＲＥＦ＝  ＨＹＰＥＲＬＩＮＫ  ”ｈｔｔｐ：／／ｄｄｄ”  ｈｔｔｐ：／／ｄｄｄ＞ポスター＜／Ａ＞”＞は、文字列ポスターと、この情報が提供されているＵＲＬ（  ＨＹＰＥＲＬＩＮＫ  ”ｈｔｔｐ：／／ｄｄｄ”  ｈｔｔｐ：／／ｄｄｄ）とが関連付けされていることをあらわしている。したがって、携帯電話１２が＜ＤＩＣ  ｈｔｍｌ＝”＜Ａ  ＨＲＥＦ＝  ＨＹＰＥＲＬＩＮＫ  ”ｈｔｔｐ：／／ｄｄｄ”  ｈｔｔｐ：／／ｄｄｄ＞ポスター＜／Ａ＞”＞を受信すると、メール作成者は、作成中のメールにＵＲＬ（ｈｔｔｐ：／／ｄｄｄ）と関連付けられたポスターという文字列を挿入することができる。
【００４１】
図６に示す受信情報は、映画“ハリーポット”の“上映劇場”、“ストーリー”、“予告編”の各文字列が、詳細な情報を管理するサーバ１６のウェブサイトのＵＲＬと関連付けされていることを示している。
【００４２】
メール作成者が、映画“ハリーポット”の“予告編”の映像を友人に見せたいと考えた場合、カーソルキー３０ａを操作してディスプレイ２０に表示されている文字列の中から“予告編”を選択し、セットキー３０ｂを押す。ＣＰＵ１８は、セットキー３０ｂが押されると、ＲＡＭ２２に保存されている文字列“予告編”に関連付けられたＵＲＬ（  ＨＹＰＥＲＬＩＮＫ  ”ｈｔｔｐ：／／ｅｅｅ”  ｈｔｔｐ：／／ｅｅｅ）を呼び出し、辞書サーバ１４を介してこのＵＲＬに対応するサーバ１６のウェブサイトにアクセスする。その結果、携帯電話１２のディスプレイ２０には、図７に示すように、ディスプレイ２０に“取り込みますか？”と表示される。
そこで、カーソルキー３０ａを操作して“ＹＥＳ”を選択し、セットキー３０ｂを押すと、携帯電話１２は再び映画“ハリーポット”の“予告編”を提供するサーバ１６のウェブサイトにアクセスする。この“予告編”のデータはストリーミングデータなので、図４に示すデータ（２−１）に相当し、携帯電話１２にダウンロードすることができない。
【００４３】
したがって、図７の受信情報一時記憶の欄に示すように、サーバ１６のウェブサイトからの情報＜Ａ  ＨＲＥＦ＝”ｈｔｔｐ：／／ｅｅｅ＞予告編＜／Ａ＞”、すなわちハリーポットの予告編を提供するサーバ１６のウェブサイトのＵＲＬがＲＡＭ２２に一時記憶される。
【００４４】
次に、メール作成者は再び携帯電話１２のディスプレイ２０の表示を、“案内ハリーポット”の情報を表示する図６の画面に戻す。そして、カーソルキー３０ａを操作して文字列“上映劇場”を選択し、セットキー３０ｂを押す。そうすると、ＣＰＵ１８は、ＲＡＭ２２に保存されている“上映劇場”に関連付けられたＵＲＬ（  ＨＹＰＥＲＬＩＮＫ  ”ｈｔｔｐ：／／ｂｂｂ”  ｈｔｔｐ：／／ｂｂｂ）を呼び出して、辞書サーバ１４を介して“上映劇場”に関連付けられた情報を管理するサーバ１６のウェブサイトにアクセスする。その結果、携帯電話１２のディスプレイ２０には、図８に示すように、このウェブサイトが提供する“上映劇場”に関する情報が表示される。
【００４５】
携帯電話１２は、この“上映劇場”に関する情報の中から、カーソルキー３０ａを操作して“地図ファイル”を選択し、セットキー３０ｂを押す。そうすると、図８に示すように、ディスプレイ２０に“ダウンロード？”と表示されてダウンロードするかどうかを聞いてくるので、再びカーソルキー３０ａを操作して“ＹＥＳ”を選択し、セットキー３０ｂを押す。セットキー３０ｂが押されると、ＣＰＵ１８は再びサーバ１６が提供する“上映劇場”のウェブサイトにアクセスして、“地図ファイル”をＲＡＭ２２にダウンロードする。この“地図ファイル”は、図４に示すデータ（１−１）に相当するデータなので、メールに添付することができる。
【００４６】
このようにして、携帯電話１２は映画“ハリーポット”の予告編を提供するＵＲＬに関連付けられた文字列“予告編”と、上映劇場の“地図ファイル”をＲＡＭ２２に一時記憶する。
【００４７】
次に、図９（Ａ）に示すように、これらのＲＡＭ２２に一時記憶された文字列“予告編”と“地図ファイル”を順次呼び出して、“予告編”のＵＲＬをメール中の“ハリーポット”に関連付けるとともに、“地図ファイル”をメールに添付する。このように、この携帯電話１２は、メール作成ソフトを終了させることなく、メール作成中にインターネットから必要な情報を取得して、その情報をメールに挿入または添付することができる。
【００４８】
なお、図９（Ａ）のメール中の文字列“ハリーポット”は、映画“ハリーポット”の“予告編”のＵＲＬに関連付けられていることを示すために下線が付されているが、文字の色が変わるようにしてもよい。
【００４９】
図９（Ｂ）に示すように、メール作成者はさらに必要な文字を入力し、編集してメールを完成させた後、友人に送信する。
【００５０】
このメールを受信した友人は、メールを読み、下線が引かれた文字列“ハリーポット”を選択し、携帯電話１２をインターネットに接続する。そうすると、友人の携帯電話１２は、辞書サーバ１４を介さず、文字列“ハリーポット”が関連付けられたＵＲＬ（  ＨＹＰＥＲＬＩＮＫ  ”ｈｔｔｐ：／／ｅｅｅ”  ｈｔｔｐ：／／ｅｅｅ）に対応するサーバ１６のウェブサイトに直接アクセスする。アクセスすると、図１０（Ａ）に示すように、友人の携帯電話１２の画面には、“予告編は保存できません。予告編を見ますか？”と表示される。予告編を見ようとして、“ＹＥＳ”を選択すると、図１０（Ｂ）に示すように、携帯電話１２は映画“ハリーポット”の“予告編”の動画実態ファイルを受信し、“予告編”の動画を画面に表示する。
【００５１】
また、上映されている劇場の場所を知りたい場合には、送信されてきたメール画面に戻り、メールに添付された“地図ファイル”を選択して開く。そうすると、携帯電話１２の画面上に劇場の場所を示す地図を表示させることができる。
【００５２】
次に、図１１および図１２を参照して、携帯電話１２のメール作成機能を利用してメールを作成する場合のフローについて説明する。まず、ステップＳ１で、ＲＯＭ２４に格納されているメールソフトを呼び出して、ディスプレイ２０にメール作成画面を表示させる。ステップＳ３で、ひらがなが入力されているかどうかを判断する。
【００５３】
その結果、ひらがなが入力されている場合には、ステップＳ５で、日本語変換キー３０ｅが押されて変換候補の表示要求があるかどうかを判断する。変換候補の表示要求がない場合には、ステップＳ７で、入力されたひらがなの文字列を確定して、ステップＳ３に戻る。
【００５４】
一方、変換候補の表示要求が有る場合には、ステップＳ９でその変換候補を表示する。ステップＳ１１で、表示された変換候補の選択がされると、ステップＳ１３で、選択された変換候補について、辞書サーバ１４に対し情報の検索要求が有るかどうかを判断する。すなわち、所望の変換候補が選択されて、辞書サーバ接続キー３０ｄが押されたか否かを判断する。
【００５５】
情報の検索要求がない場合には、ステップＳ１５で、選択した変換候補の文字列を確定して、ステップＳ３に戻る。一方、ステップＳ１７で、辞書サーバ接続キー３０ｄが押された場合には、ＣＰＵ１８は、あらかじめＲＯＭ２４に保存されている辞書サーバに保存されているＵＲＬを呼び出して、携帯電話１２を辞書サーバ１４に接続する。そして、ステップＳ１９で、辞書サーバ１４に所望の文字列に関する情報の検索要求を送信する。
【００５６】
次に、ステップＳ２１で、辞書サーバ１４から検索情報を受信したかどうかを判断する。検索情報を受信していない場合には、再びステップＳ２１に戻り、辞書サーバ１４から送信される検索情報を待つ。一方、検索情報を受信した場合には、ステップＳ２３で、検索情報をディスプレイ２０に表示する。このとき、検索情報の文字列に関連付けられたＵＲＬはＲＡＭ２２に保存される。
【００５７】
次に、ステップＳ２５で、ディスプレイ２０に表示された文字列のいずれかにカーソルキー３０ａを移動させる必要があるかどうか判断する。そして、移動させる必要がある場合には、ステップＳ２７で、カーソルキー３０ａを操作して特定の文字列を選択した後、再びステップＳ２５に戻る。
【００５８】
一方、ステップＳ２５で、カーソルキー３０ａを移動させる必要がない場合には、ステップＳ２９で、選択されている文字列についてセットキー３０ｂが押されたかどうかを判断する。
【００５９】
セットキー３０ｂが押されると、ステップＳ３１で、ＣＰＵ１８は選択した文字列に関連付けられたＵＲＬをＲＡＭ２２から呼び出して、辞書サーバ１４を介してＵＲＬに対応するサーバ１６のウェブサイトにアクセスする。
【００６０】
次に、ステップＳ３３で、サーバ１６のウェブサイトからの情報はダウンロードが可能な情報かどうかを判断する。その結果、ダウンロードが可能な場合には、ステップＳ３５で、サーバ１６のウェブサイトから情報をＲＡＭ２２にダウンロードし、さらにステップＳ３７で、作成中のメールに添付した後、ステップＳ２５に戻る。
【００６１】
一方、ステップＳ３３で、ダウンロードできないと判断された場合には、ステップＳ３９で、その文字列と関連付けられたＵＲＬに対応するサーバ１６のウェブサイトからの受信情報をＲＡＭ２２に一時記憶させる。次に、ステップＳ４１で、ＲＡＭ２２に一時記憶させた文字列を、メール中の文字列と関連付けて挿入した後、ステップＳ２５に戻る。
【００６２】
また、ステップＳ２９で、セットキー３０ｂが押されていない場合には、ステップＳ４３で、モードキー３０ｃが押されたかどうかを判断する。そして、モードキー３０ｃが押された場合には、ステップＳ４５でメール作成画面を表示し、メール作成を続けるためにステップＳ３に戻る。一方、ステップＳ４３で、モードキー３０ｃが押されていない場合には、ステップＳ２５に戻る。
【００６３】
ステップＳ３で、ひらがなが入力されていないと判断された場合には、ステップＳ４７で、メールの作成を終了するかどうかの判断をし、終了しない場合にはステップＳ３に戻る。
【００６４】
一方、メールの作成を終了する場合には、ステップＳ４９で、携帯電話１２が辞書サーバ１４に接続されているかどうかを判断する。そして、接続されている場合には  ステップＳ５１で辞書サーバ１４との通信を切断して終了し、接続されていない場合にはそのまま終了する。
【００６５】
以上の説明からわかるように、携帯電話１２の画面に表示される所望の文字列をカーソルキー３０ａにより選択して、辞書サーバ接続キー３０ｄまたはセットキー３０ｂを押すと、携帯電話１２はこの文字列に関連する情報を管理している辞書サーバ１４またはサーバ１６にそれぞれ接続される。そして、携帯電話１２は、辞書サーバ１４またはサーバ１６から文字列に関連する文字情報、動画／静止画などの画像情報、音声情報などのコンテンツ情報を取得し、作成中の文書に付加して文書を作成する。
【００６６】
辞書サーバ１４のウェブサイトは、携帯電話１２に格納されている日本語変換辞書の所望の変換候補に関連する情報を提供している。メール作成者が辞書サーバ１４のウェブサイトにアクセスしてこの情報を取得できるように、携帯電話１２はこのウェブサイトのＵＲＬをＲＯＭ２４に保存している。メール作成者が、日本語変換辞書の変換候補の中から所望の変換候補を選択して辞書サーバ接続キー３０ｄを押すと、携帯電話１２はＲＯＭ２４からＵＲＬを呼び出す。次に、このＵＲＬに対応する辞書サーバ１４のウェブサイトに接続して、辞書データから必要な情報を取得する。
【００６７】
サーバ１６のウェブサイトは、辞書サーバ１４から受信した所定の文字列に関連する情報を提供している。メール作成者がこのウェブサイトにアクセスして情報を取得できるように、携帯電話１２はこのウェブサイトのＵＲＬをＲＡＭ２２に保存している。メール作成者が所望の文字列を選択してセットキー３０ｂを押すと、携帯電話１２はＲＡＭ２２からＵＲＬを呼び出す。次に、このＵＲＬに対応するサーバ１６のウェブサイトに接続して、必要な情報を取得する。
【００６８】
この携帯電話１２は、さらに画面に表示すべき文字列が確定したとき、辞書サーバ１４またはサーバ１６からその文字列に関連するコンテンツ情報を取得するか否かを問い合わせるメッセージを画面に表示する。この問合せに対して、“ＹＥＳ”を入力すると、コンテンツ情報を管理する辞書サーバ１４またはサーバ１６にアクセスする。
【００６９】
この携帯電話１２は、辞書サーバ１４またはサーバ１６が管理するコンテンツ情報のうち、著作権の問題がない情報、ファイルとして添付可能な情報などの複写が許可された第１コンテンツを取得する。
【００７０】
この携帯電話１２は、辞書サーバ１４またはサーバ１６が管理するコンテンツ情報のうち、著作権の問題がある情報、ストリーミングデータなどの複写が禁止された第２コンテンツを取得する。
【００７１】
なお、上述の説明では、携帯電話１２は、メール作成中にインターネットを介して辞書サーバ１４に接続されると、メールの作成を終了するまで、辞書サーバ１４に接続されているとして説明した。しかし、メール作成中に辞書サーバ１４に接続して必要な情報を取得した後、一旦辞書サーバ１４との接続を切断する。そして、必要になったときに再び接続してもよい。
【００７２】
また、辞書サーバ１４は携帯電話１２のキャリアに設置され、携帯電話１２と辞書サーバとは基地局を介して接続され、辞書サーバ１４とサーバ１６とはインターネットを介して接続されていてもよい。
【００７３】
また、メール作成中にインターネットに接続して必要な情報を取得すると一時記憶させずに、その都度作成中のメールに挿入したり、添付したりしてもよいが、メール作成に必要な情報をまとめて取得してＲＡＭ２２に一時記憶させた後、必要に応じてＲＡＭ２２からこれらの情報を呼び出してメールを作成してもよい。
【００７４】
また、上述の説明では、検索情報にＤＩＣタグを付するのは、辞書サーバ１４だけとし、そのためサーバ１６のウェブサイトが提供する情報も辞書サーバ１４を介して携帯電話１２に送信するとして説明した。しかし、各サーバ１６が情報にＤＩＣタグを付して、辞書サーバ１４を介さず、ＤＩＣタグを付した情報を直接携帯電話１２に送信してもよい。
【図面の簡単な説明】
【図１】この発明の一実施例を示すブロック図である。
【図２】図１実施例のメール作成装置を示すブロック図である。
【図３】図１実施例の辞書サーバを示すブロック図である。
【図４】図２実施例のメール作成装置が扱うデータを示す図である。
【図５】図２実施例のメール作成装置の動作の一部を示す図解図である。
【図６】図２実施例のメール作成装置の動作の他の一部を示す図解図である。
【図７】図２実施例のメール作成装置の動作のその他の一部を示す図解図である。
【図８】図２実施例のメール作成装置の動作のさらにその他の一部を示す図解図である。
【図９】図２実施例のメール作成装置の動作の他の一部を示す図解図である。
【図１０】図９に続くメール作成装置の動作を示す図解図である。
【図１１】メール作成装置のＣＰＵの動作を示すフロー図である。
【図１２】図１１に続くメール作成装置のＣＰＵの動作を示すフロー図である。
【符号の説明】
１２…携帯電話
１４…辞書サーバ
１６…サーバ
２０…ディスプレイ
２２…ＲＡＭ
３０ａ…カーソルキー
３０ｂ…セットキー
３０ｄ…辞書サーバ接続キー
【図１】
2004272520.tif 000003
【図２】
2004272520.tif 000004
【図３】
2004272520.tif 000005
【図４】
2004272520.tif 000006
【図５】
2004272520.tif 000007
【図６】
2004272520.tif 000008
【図７】
2004272520.tif 000009
【図８】
2004272520.tif 000010
【図９】
2004272520.tif 000011
【図１０】
2004272520.tif 000012
【図１１】
2004272520.tif 000013
【図１２】
2004272520.tif 000014